(57)【要約】【課題】複数の有機ＥＬパネルを並べた発光装置において、隣り合う２つの有機ＥＬパネルがショートしないようにする。【解決手段】有機ＥＬ素子１２０は、基板１１０に形成されている。陽極端子１０２は、有機ＥＬ素子１２０の陽極に接続しており、陰極端子１０４は、有機ＥＬ素子１２０の陰極に接続している。そして陽極端子１０２及び陰極端子１０４は、いずれも、隣の有機ＥＬ素子１２０が有する逆極性の端子とは重なっていない。例えばある有機ＥＬ素子１２０の陽極端子１０２は、その隣の有機ＥＬ素子１２０の陰極端子１０４とは重なっていない。また、ある有機ＥＬ素子１２０の陰極端子１０４は、その隣の有機ＥＬ素子１２０の陽極端子１０２とは重なっていない。【選択図】図１
2015122270.tif 000002
【特許請求の範囲】
【請求項１】
複数並べて配置された有機ＥＬパネルを備え、
前記有機ＥＬパネルは、
基板と、
前記基板に形成された有機ＥＬ素子と、
前記基板の端部に形成され、前記有機ＥＬ素子の陽極に接続する陽極端子と、
前記基板の端部に形成され、前記有機ＥＬ素子の陰極に接続する陰極端子と、
を備え、
前記陽極端子及び前記陰極端子は、いずれも隣に位置する前記有機ＥＬパネルの逆極性の端子と重なっていない発光装置。
【請求項２】
請求項１に記載の発光装置において、
前記陽極端子を前記有機ＥＬパネルの外部に接続する陽極リード部と、
前記陰極端子を前記有機ＥＬパネルの外部に接続する陰極リード部と、
を備える発光装置。
【請求項３】
請求項２に記載の発光装置において、
前記陽極端子及び前記陰極端子は、いずれも前記隣に位置する有機ＥＬパネルの前記陽極端子及び前記陰極端子のいずれとも重なっていない発光装置。
【請求項４】
請求項３に記載の発光装置において、
前記基板は矩形であり、
前記陽極端子は、前記基板の第１辺に設けられており、
前記陰極端子は、前記基板のうち前記第１辺に対向する第２辺に設けられており、
前記第１辺及び前記第２辺が延在する方向において、前記陽極端子は前記陰極端子と重なっていない発光装置。
【請求項５】
請求項４に記載の発光装置において、
前記陽極端子は、前記基板の第１角部に設けられており、
前記陰極端子は、前記基板の前記第１角部の対角側に位置する第２角部に設けられている発光装置。
【請求項６】
請求項５に記載の発光装置において、
前記陽極端子及び前記陰極端子は、前記基板の４辺のそれぞれに設けられており、かつ、前記基板の全周に沿った場合、前記陽極端子と前記陰極端子は交互に設けられており、
前記４辺のそれぞれにおいて、前記陽極端子は前記辺の一端側に設けられており、前記陰極端子は前記辺の他端側に設けられており、かつ前記陽極端子から前記一端までの距離と、前記陰極端子から前記他端までの距離との差は、前記陽極端子の幅及び前記陰極端子の幅よりも大きい発光装置。
【発明の詳細な説明】
【技術分野】
【０００１】
本発明は、発光装置に関する。
【背景技術】
【０００２】
近年は、有機ＥＬ素子を光源として利用した有機ＥＬパネルの開発が進んでいる。有機ＥＬ素子は面発光し、かつ軽量であるため、パネル化することができる。
【０００３】
なお、ＥＬ装置に関する文献としては、例えば特許文献１に記載の技術がある。特許文献１において、発光層は防湿フィルムで封止されている。そして、防湿フィルムからは、リード電極が外部に延在している。
【先行技術文献】
【特許文献】
【０００４】
【特許文献１】特開平０７−０９９０８７号公報
【発明の概要】
【発明が解決しようとする課題】
【０００５】
複数の有機ＥＬパネルを並べることによって、一つの大きな発光装置を形成することができる。この場合、複数の有機ＥＬパネルそれぞれの端子に給電する必要がある。ここで、隣り合う２つの有機ＥＬパネルの端子が互いに重なる位置に配置されると、２つの有機ＥＬパネルがショートする恐れが出てくる。
【０００６】
本発明が解決しようとする課題としては、複数の有機ＥＬパネルを並べた発光装置において、隣り合う２つの有機ＥＬパネルがショートしないようにすることが一例として挙げられる。
【課題を解決するための手段】
【０００７】
請求項１に記載の発明は、複数並べて配置された有機ＥＬパネルを備え、
前記有機ＥＬパネルは、
基板と、
前記基板に形成された有機ＥＬ素子と、
前記基板の端部に形成され、前記有機ＥＬ素子の陽極に接続する陽極端子と、
前記基板の端部に形成され、前記有機ＥＬ素子の陰極に接続する陰極端子と、
を備え、
前記陽極端子及び前記陰極端子は、いずれも隣に位置する前記有機ＥＬパネルの逆極性の端子と重なっていない発光装置である。
【図面の簡単な説明】
【０００８】
【図１】実施形態に係る発光装置の構成を示す平面図である。
【図２】図１のＡ−Ａ断面図である。
【図３】実施例１に係る発光装置の構成を示す平面図である。
【図４】実施例２に係る発光装置の構成を示す平面図である。
【図５】実施例３に係る発光装置の構成を示す平面図である。
【図６】図５に示した発光装置に用いられる有機ＥＬパネルの平面図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
図１は、実施形態に係る発光装置１０の構成を示す平面図である。図２は、図１のＡ−Ａ断面図である。図１においては、説明のため、引出配線１２２，１２４、封止部材１３０、陽極リード部１４２、及び陰極リード部１４４を省略している。実施形態に係る発光装置１０は、複数の有機ＥＬパネル１００を備えている。本図に示す例において、複数の有機ＥＬパネル１００は、第１の方向（図中ｘ方向）に沿って並んでいる。ただし、複数の有機ＥＬパネル１００は、さらに、第１の方向に直交する第２の方向（図中ｙ方向）に沿って並んでいてもよい。この場合複数の有機ＥＬパネル１００は、マトリクスを構成するように配置されている。
【００１１】
有機ＥＬパネル１００は、基板１１０、有機ＥＬ素子１２０、陽極端子１０２、及び陰極端子１０４を備えている。有機ＥＬ素子１２０は、基板１１０に形成されている。陽極端子１０２は、有機ＥＬ素子１２０の陽極に接続しており、陰極端子１０４は、有機ＥＬ素子１２０の陰極に接続している。そして陽極端子１０２及び陰極端子１０４は、いずれも、隣の有機ＥＬ素子１２０が有する逆極性の端子とは重なっていない。例えばある有機ＥＬ素子１２０の陽極端子１０２は、その隣の有機ＥＬ素子１２０の陰極端子１０４とは重なっていない。また、ある有機ＥＬ素子１２０の陰極端子１０４は、その隣の有機ＥＬ素子１２０の陽極端子１０２とは重なっていない。以下、詳細に説明する。
【００１２】
基板１１０は、たとえばガラス基板や樹脂基板などの透明基板である。基板１１０は、可撓性を有していてもよい。この場合、基板１１０の厚さは、例えば１０μｍ以上１０００μｍ以下である。この場合においても、基板１１０は無機材料及び有機材料のいずれで形成されていてもよい。
【００１３】
基板１１０は、例えば矩形(さらに詳細には例えば正方形)などの多角形である。このため、有機ＥＬパネル１００の外形も矩形などの多角形になっている。そして、有機ＥＬパネル１００は、隣の有機ＥＬパネル１００と角が揃うように配置されている。言い換えると、有機ＥＬパネル１００は、その隣の有機ＥＬパネル１００と、一辺が互いに対向するように（好ましくはほぼ接するように）配置されている。そして有機ＥＬパネル１００のうちこの一辺に直交する辺は、その隣に位置する有機ＥＬパネル１００の当該辺と同一直線上に位置している。
【００１４】
有機ＥＬ素子１２０は、第１電極と第２電極の間に有機層を挟んだ構成を有している。有機層は、正孔輸送層、発光層、及び電子輸送層をこの順に積層した構成を有している。第１電極が陽極の場合は、正孔輸送層が第１電極の上に形成される。また、第１電極が陰極の場合は、電子輸送層が第１電極の上に形成される。なお、有機層は、さらに他の層を有していてもよい。
【００１５】
第１電極及び第２電極のうち少なくとも一方は透光性の電極になっている。また、残りの電極は、例えばＡｌやＡｇなどの金属によって形成されている。透光性の電極の材料は、例えば、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の無機材料、またはポリチオフェン誘導体などの導電性高分子である。例えば、有機ＥＬ素子１２０が、基板１１０の上に第１電極、有機層、及び第２電極をこの順に積層した構成を有している場合、第１電極は透光性の電極になっており、第２電極は、Ａｌなど光を反射する電極になっている。
【００１６】
有機ＥＬ素子１２０は封止部材１３０によって封止されている。封止部材１３０は、例えば、ガラス、又はステンレスやＡｌなどの金属の薄い板（又は箔）によって形成されており、有機ＥＬ素子１２０を収容する部分が上側に窪んでいる。これにより、封止部材１３０と基板１１０の間には、有機ＥＬ素子１２０を収容する空間が形成される。この空間には、乾燥剤が配置されている。また、この空間をエポキシなどの接着剤で充填しても良い。そして封止部材１３０の縁は、基板１１０に固定されている。
【００１７】
なお、封止部材１３０は、成膜法によって形成された膜であってもよい。この場合、例えばＡＬＤ（Atomic Layer Deposition）法又はＣＶＤ法を用いて形成されている。ＡＬＤ法で形成されている場合、封止部材１３０は、例えば酸化アルミニウムなどの酸化金属膜によって形成されている。ＣＶＤ法で形成されている場合、封止部材１３０は、酸化シリコン膜などの無機絶縁膜によって形成されている。
【００１８】
基板１１０のうち封止部材１３０の外側に位置する部分、例えば基板１１０の縁部には、陽極端子１０２及び陰極端子１０４が形成されている。上記したように、基板１１０のうち陽極端子１０２及び陰極端子１０４が設けられた辺に沿う方向において、ある有機ＥＬパネル１００の陰極端子１０４は、その隣の有機ＥＬパネル１００の陽極端子１０２とは重なっていない。
【００１９】
図１に示す例では、陽極端子１０２及び陰極端子１０４は、いずれも他の有機ＥＬ素子１２０の陽極端子１０２及び陰極端子１０４と重なっていない。陽極端子１０２は、少なくとも基板１１０の第１辺（図１においてｙ方向に延在する辺）に設けられており、陰極端子１０４は、少なくとも基板１１０のうち第１辺に対向する第２辺に設けられている。そして、第１辺及び第２辺が延在する方向（図１におけるｙ方向）において、陽極端子１０２は陰極端子１０４と重なっていない。具体的には、陽極端子１０２及び陰極端子１０４は、基板１１０の第１辺及び第２辺に設けられている。そして、第１辺に延在する方向において、第１辺に位置する陽極端子１０２及び陰極端子１０４は、いずれも、第２辺に位置する陽極端子１０２及び陰極端子１０４とは異なる位置に配置されている。このようにすると、有機ＥＬパネル１００をそろえて配置したときに、陽極端子１０２は、隣の有機ＥＬパネル１００が有する陰極端子１０４と重ならない。
【００２０】
そして、陽極端子１０２は、引出配線１２２を介して有機ＥＬ素子１２０に接続しており、陰極端子１０４は、引出配線１２４を介して有機ＥＬ素子１２０に接続している。引出配線１２２，１２４は、封止部材１３０で封止されている空間から封止部材１３０の外部に引き出されている。
【００２１】
有機ＥＬパネル１００は、さらに、陽極リード部１４２及び陰極リード部１４４を有している。陽極リード部１４２及び陰極リード部１４４は、いずれもリードフレームで形成された端子であり、絶縁被膜が形成されていない。ただし、陽極リード部１４２及び陰極リード部１４４には、絶縁被膜が形成されていてもよい。陽極リード部１４２及び陰極リード部１４４の一端は、基板１１０を挟み込む形状を有している。陰極リード部１４４は、一端側で基板１１０を挟み込むことにより、陰極端子１０４に接続し、かつ基板１１０に固定される。陽極リード部１４２及び陰極リード部１４４の他端側は、有機ＥＬパネル１００の非発光面側に伸びている。なお、陽極リード部１４２についても同様である。
【００２２】
以上、本実施形態によれば、陽極端子１０２及び陰極端子１０４を基板１１０の縁に設けている。このため、有機ＥＬパネル１００の縁の非発光領域の幅を狭くすることができる。また、ある有機ＥＬ素子１２０の陰極端子１０４は、その隣の有機ＥＬパネル１００の陽極端子１０２とは重なっていない。このため、陽極端子１０２が、隣の有機ＥＬパネル１００の陰極端子１０４と短絡することを抑制できる。特に本実施形態のように、陽極端子１０２に陽極リード部１４２を接続し、かつ陰極端子１０４に陰極リード部１４４を接続する場合においても、陽極リード部１４２が、その隣の有機ＥＬパネル１００の陰極リード部１４４とショートすることを抑制できる。
【００２３】
また、図１に示す例では、陽極端子１０２及び陰極端子１０４は、いずれも他の有機ＥＬ素子１２０の陽極端子１０２及び陰極端子１０４と重なっていない。この場合、陽極リード部１４２同士が物理的に干渉することも抑制でき、また、陰極リード部１４４同士が物理的に干渉することも抑制できる。
【実施例】
【００２４】
（実施例１）
図３は、実施例１に係る発光装置１０の構成を示す平面図である。本図に示す発光装置１０は、陽極端子１０２が、隣の有機ＥＬパネル１００が有する陽極端子１０２と重なっており、かつ陰極端子１０４が、隣の有機ＥＬパネル１００が有する陰極端子１０４と重なっている点を除いて、実施形態に係る発光装置１０と同様の構成である。
【００２５】
本実施例によっても、陽極端子１０２が、隣の有機ＥＬパネル１００の陰極端子１０４と短絡することを抑制できる。そして、陽極リード部１４２が、その隣の有機ＥＬパネル１００の陰極リード部１４４とショートすることを抑制できる。
【００２６】
（実施例２）
図４は、実施例２に係る発光装置１０の構成を示す平面図である。本実施例に係る発光装置１０は、複数の有機ＥＬパネル１００の相対位置を除いて、実施形態又は実施例１に係る発光装置１０と同様の構成である。本図は、実施形態と同様の場合を示している。
【００２７】
本実施例において、有機ＥＬパネル１００は矩形である。そして、複数の有機ＥＬパネル１００は、第１の方向（図中ｘ方向）、及び第１の方向に直交する第２の方向（図中ｙ方向）のそれぞれに沿って並んでいる。第２の方向において、複数の有機ＥＬパネル１００は、第２の方向に延在する辺が同一直線状に位置するように、配置されている。一方、第１の方向、すなわち陽極端子１０２及び陰極端子１０４が設けられた辺に直交する方向において、複数の有機ＥＬパネル１００は千鳥上に配置されている。ただし、隣り合う有機ＥＬパネル１００のずれ幅は、有機ＥＬパネル１００のうち第２の方向に延在する辺の長さ以下である。
【００２８】
そして、基板１１０のうち陽極端子１０２及び陰極端子１０４が設けられた辺に沿う方向において、ある有機ＥＬ素子１２０の陽極端子１０２及び陰極端子１０４は、いずれも、その隣の有機ＥＬ素子１２０の逆極性の端子とは重なっていない。このようにするためには、基板１１０における陽極端子１０２及び陰極端子１０４の位置、及び、隣り合う基板１１０のずれ幅を調整すればよい。
【００２９】
本実施例によっても、陽極端子１０２が、隣の有機ＥＬパネル１００の陰極端子１０４と短絡することを抑制できる。
【００３０】
（実施例３）
図５は、実施例３に係る発光装置１０の構成を示す平面図である。図６は、本実施例で用いられている有機ＥＬパネル１００の平面図である。本実施例に係る発光装置１０は、以下の点を除いて、実施形態に係る発光装置１０と同様の構成である。
【００３１】
まず、有機ＥＬパネル１００は矩形である。陽極端子１０２は、基板１１０のある角部（第１角部）に設けられ、陰極端子１０４は基板１１０の第１角部の対角となる角部（第２角部）に設けられている。このため、有機ＥＬパネル１００を並べて配置しても、陽極端子１０２と陰極端子１０４は重ならない。
【００３２】
さらに詳細には、陽極端子１０２及び陰極端子１０４は、基板１１０の４辺のそれぞれに設けられている。基板１１０の全周に沿った場合、陽極端子１０２と陰極端子１０４は交互に設けられている。また、基板１１０の４辺のそれぞれにおいて、陽極端子１０２はその辺の一端側に設けられており、陰極端子１０４はその辺の他端側に設けられている。そして、図６に示すように、陽極端子１０２から上記した一端までの距離Ｌ１は、陰極端子１０４から上記した他端までの距離Ｌ２と異なる。そして、Ｌ１とＬ２の差は、陽極端子１０２の幅及び陰極端子１０４の幅よりも大きい。より詳細には、陽極端子１０２及び陰極端子１０４の一方は、他方より、角１１２の近くに位置する。そして、Ｌ１とＬ２の差は、陽極端子１０２及び陰極端子１０４のうち角１１２の近くに位置する方の幅よりも大きい。好ましくは、Ｌ１とＬ２の差は、陽極端子１０２及び陰極端子１０４のいずれの幅よりも大きい。
【００３３】
図５に示すように、複数の有機ＥＬパネル１００は、第１の方向（図中ｘ方向）、及び第１の方向に直交する第２の方向（図中ｙ方向）のそれぞれに沿って並んでいる。詳細には、第１の方向において、複数の有機ＥＬパネル１００は、第１の方向に延在する辺が同一直線状に位置するように、配置されている。また、第２の方向において、複数の有機ＥＬパネル１００は、第２の方向に延在する辺が同一直線状に位置するように、配置されている。
【００３４】
有機ＥＬパネル１００を図５のように配置しても、陽極端子１０２及び陰極端子１０４が図６を用いて説明した配置になっているため、陽極端子１０２が、隣の有機ＥＬパネル１００の陰極端子１０４と短絡することを抑制できる。このため、陽極リード部１４２が、その隣の有機ＥＬパネル１００の陰極リード部１４４とショートすることを抑制できる。
【００３５】
以上、図面を参照して実施形態及び実施例について述べたが、これらは本発明の例示であり、上記以外の様々な構成を採用することもできる。
【符号の説明】
【００３６】
１０ 発光装置
１００ 有機ＥＬパネル
１０２ 陽極端子
１０４ 陰極端子
１１０ 基板
１２０ 有機ＥＬ素子
１４２ 陽極リード部
１４４ 陰極リード部
【図１】
2015122270.tif 000003
【図２】
2015122270.tif 000004
【図３】
2015122270.tif 000005
【図４】
2015122270.tif 000006
【図５】
2015122270.tif 000007
【図６】
2015122270.tif 000008